(57)【要約】【課題】            従来、アタッチ部材自体で他との識別機能を有しているものが存在していなかったという点である。【解決手段】        少なくとも一端に抜け止め用の係止部を一体的に備えたアタッチ部材において、表面の一部に識別用の表示をレーザによってプリントしてあることとし、前記したアタッチ部材はアッセンブリとして取付用器具に装着するための直線状のランナーに連結材を介して並設されていることとし、前記したアタッチ部材は、ループ形成材の一端に挿し込み部を一体的に備え、他端に前記した挿し込み部を受け、ループ状態をロックする受部とより構成されていることとする。【選択図】          図１
2012113085.tif 000002
【特許請求の範囲】
【請求項１】
少なくとも一端に抜け止め用の係止部を一体的に備えたアタッチ部材において、表面の一部に識別用の表示をレーザによってプリントしてあることを特徴とするアタッチ部材。
【請求項２】
前記したアタッチ部材はアッセンブリとして取付用器具に装着するための直線状のランナーに連結材を介して並設されていることを特徴とする請求項１に記載のアタッチ部材。
【請求項３】
前記したアタッチ部材は前記した抜け止め用の係止部、対象物への挿通部及びその挿通部の一端に設けられた係止材とによってＨ字状を形成していることを特徴とする請求項１または２に記載のアタッチ部材。
【請求項４】
前記した係止材の表面は弧面状としてあることを特徴とする請求項３に記載のアタッチ部材。
【請求項５】
前記した係止材は表面を平坦とした半円状とし、アッセンブリとしてその表面端部を連結してあることを特徴とする請求項３に記載のアタッチ部材。
【請求項６】
前記した係止材は表面を平坦とした半円状とし、その周縁に表面よりも突出する突起を形成してあることを特徴とする請求項３に記載のアタッチ部材。
【請求項７】
前記した係止材は表面を平坦とした半円状とし、その表面を半円状の透明のコーティング材でコーティングして円柱状としてあることを特徴とする請求項３に記載のアタッチ部材。
【請求項８】
前記した係止材は断面直角三角形状とし、そのテーパ面を上方へ表出させていることを特徴とする請求項３に記載のアタッチ部材。
【請求項９】
前記したアタッチ部材は抜け止め用の係止部、対象物への挿通部及びその挿通部の一端に設けられた係止用のパドルから形成されていることを特徴とする請求項１または２に記載のアタッチ部材。
【請求項１０】
前記したアタッチ部材は抜け止め用の係止部、対象物への挿通部及びその挿通部の一端に設けられ、挿通部と直線状に延設され、基端に係止部を備えた半円形の表示部とより形成されていることを特徴とする請求項１または２に記載のアタッチ部材。
【請求項１１】
前記したアタッチ部材は抜け止め用の係止部、対象物への挿通部及びその挿通部の一端に設けられた球体とより形成されていることを特徴とする請求項１または２に記載のアタッチ部材。
【請求項１２】
前記したアタッチ部材は抜け止め用の係止部、対象物への挿通部及びその挿通部の一端に設けられ、挿通部と直線状に延設された断面涙形の表示部とし、その表示部はアッセンブリにあって、その向きを交互に変えてあることを特徴とする請求項１または２に記載のアタッチ部材。
【請求項１３】
前記したアタッチ部材は、ループ形成材の一端に挿し込み部を一体的に備え、他端に前記した挿し込み部を受け、ループ状態をロックする受部とより構成されていることを特徴とする請求項１に記載のアタッチ部材。
【発明の詳細な説明】
【技術分野】
【０００１】
本発明はアタッチ部材、それも主としてプラスチックで成形され、商品に価格や品質を表示したタグを吊持したり、その他出所や個体の識別用として放流された魚介類に装着する用途に用いられ、アパレルの真贋防止、その他、ビルやマンションの各戸の鍵管理のセキュリティ用等としても幅広く使用できるアタッチ部材に関する。
【背景技術】
【０００２】
従来、この種のアタッチ部材は単体として種々の形態のものがあり、オーソドックスな形態は図３４として示す取り付け器具Ｇの溝付きニードルＮで対象物の向こう側へ送られる抜け止め用の係止部としての棒材、その棒材の中央部分に直交状に設けられた挿通部、その挿通部の手前端の中央部に設けられる係止材から形成されたＨ字状をしたもので、これは直線状をしたランナーに連結材（ピン）を介して一定間隔で並列されたアッセンブリとされている。
【０００３】
前記したアタッチ部材は元来、タグを吊持する目的で開発されたものであるが、近時は、このタグの吊持用のほか、さらに幅広い用途が考案されている。その一つには、放流した魚介類に装着して、その生態を調査する事業等も含まれている。
【０００４】
この放流した魚介類に装着する場合、識別のためのタグを付けることは、魚介類、特に稚魚にとっては大きな負担となり、正確な生態が把握できないばかりか、そのタグ自体が水中で損傷してしまい、内容が不明となってしまう。
【先行技術文献】
【特許文献】
【０００５】
出願人は、本願発明に関し、先行する技術文献を調査したが、格別に本願発明と関連し、類似すると思われる文献は発見できなかった。
【発明の概要】
【発明が解決しようとする課題】
【０００６】
本発明が解決しようとする問題点は、従来、アタッチ部材自体で他との識別機能を有しているものが存在していなかったという点である。
【課題を解決するための手段】
【０００７】
この問題点を解決するために、本発明に係るアタッチ部材は、少なくとも一端に抜け止め用の係止部を一体的に備えたアタッチ部材において、表面の一部に識別用の表示をレーザによってプリントしてあることを特徴とし、前記したアタッチ部材はアッセンブリとして取付用器具に装着するための直線状のランナーに連結材を介して並設されていることを特徴とし、前記したアタッチ部材は前記した抜け止め用の係止部、対象物への挿通部及びその挿通部の一端に設けられた係止材とによってＨ字状を形成していることを特徴としている。
【０００８】
また、本発明に係るアタッチ部材は、前記した係止材の表面は弧面状としてあることを特徴とし、前記した係止材は表面を平坦とした半円状とし、アッセンブリとしてその表面端部を連結してあることを特徴とし、前記した係止材は表面を平坦とした半円状とし、その周縁に表面よりも突出する突起を形成してあることを特徴とし、前記した係止材は表面を平坦とした半円状とし、その表面を半円状の透明のコーティング材でコーティングして円柱状としてあることを特徴とし、前記した係止材は断面直角三角形状とし、そのテーパ面を上方へ表出させていることを特徴としている。
【０００９】
さらに、本発明に係るアタッチ部材は、前記したアタッチ部材は抜け止め用の係止部、対象物への挿通部及びその挿通部の一端に設けられた係止用のパドルから形成されていることを特徴とし、前記したアタッチ部材は抜け止め用の係止部、対象物への挿通部及びその挿通部の一端に設けられ、挿通部と直線状に延設され、基端に係止部を備えた半円形の表示部とより形成されていることを特徴としている。
【００１０】
そして、本発明に係るアタッチ部材は、前記したアタッチ部材は抜け止め用の係止部、対象物への挿通部及びその挿通部の一端に設けられた球体とより形成されていることを特徴とし、前記したアタッチ部材は抜け止め用の係止部、対象物への挿通部及びその挿通部の一端に設けられ、挿通部と直線状に延設された断面涙形の表示部とし、その表示部はアッセンブリにあって、その向きを交互に変えてあることを特徴とし、前記したアタッチ部材は、ループ形成材の一端に挿し込み部を一体的に備え、他端に前記した挿し込み部を受け、ループ状態をロックする受部とより構成されていることを特徴としている。
【発明の効果】
【００１１】
本発明に係るアタッチ部材は上記のように構成されている。アタッチ部材の表面の一部にレーザによって識別用の表示、例えば文字、数字、図形、図柄等をプリントしてあるので、そのアタッチ部材そのものの存在で装着された物の出所や個体の識別を明確に把握することができることとなり、使用する応用用途が著しく拡大されることとなる。
【図面の簡単な説明】
【００１２】
【図１】本発明に係るアタッチ部材の基本的な形態を示し、アッセンブリ状態を示す斜視図である。
【図２】平面図である。
【図３】側面図である。
【図４】正面図である。
【図５】第二の実施例を示す正面図である。
【図６】斜視図である。
【図７】別の角度からの斜視図である。
【図８】側面図である。
【図９】第三の実施例を示す部分斜視図である。
【図１０】平面図である。
【図１１】正面図である。
【図１２】要部拡大側面図である。
【図１３】第四の実施例を示す平面図である。
【図１４】部分斜視図である。
【図１５】正面図である。
【図１６】要部拡大側面図である。
【図１７】第五の実施例を示す部分斜視図である。
【図１８】正面図である。
【図１９】要部拡大側面図である。
【図２０】第六の実施例を示す斜視図である。
【図２１】平面図である。
【図２２】要部拡大斜視図である。
【図２３】部分側面図である。
【図２４】第七の実施例を示す斜視図である。
【図２５】底面図である。
【図２６】第八の実施例を示す部分斜視図である。
【図２７】側面図である。
【図２８】第九の実施例を示す斜視図である。
【図２９】側面図である。
【図３０】平面図である。
【図３１】第十の実施例を示す部分斜視図である。
【図３２】側面図である。
【図３３】平面図である。
【図３４】取り付け器具を示す参考図である。
【図３５】封筒へ使用した例を示す参考図である。
【図３６】ループを形成する構成とした例を示す平面図である。
【図３７】変形例を示す平面図である。
【図３８】他の変形例を示す平面図である。
【図３９】側面図である。
【発明を実施するための形態】
【００１３】
図面として示し、実施例で説明したように構成したことで実現した。
【実施例１】
【００１４】
次に、本発明の好ましい実施例を図面を参照して説明する。まず、図１乃至図４によって本発明の基本的形態（第一実施例）を説明する。図中１は本発明を実施したナイロンやプラスチック製のアタッチ部材を示しており、Ａ１はこのアタッチ部材１、１‥のアッセンブリを示している。このアッセンブリＡ１は直状のランナー２を有しており、このランナー２の一面に連結ピン３を介してアタッチ部材１が連結されている。
【００１５】
アタッチ部材１は抜け止め用の係止部としての棒材４と、その棒材４の中央部から延設された対象物への挿通部５と、その挿通部５の他端に係止棒６の中央部分を一体に連結した構成となっている。ランナー２はこのアタッチ部材１の取付器具に嵌め付けられ、各アタッチ部材１、１ごとの送り機構で移動しながら、取付器具のトリガー操作で連結ピン３をカットし、棒材４をスリットの入ったニードルで対象物の向こう側へ送り、係止棒６と棒材４とで挿通部５が抜けてしまうことを防止している。また、挿通部５と棒材４及び係止棒６のコーナーには補強用の肉盛りアール部８、８‥が形成されている。
【００１６】
この第一実施例にあってアタッチ部材１は全体としてＨ字状に形成されているもので、前記した係止棒６の外表面に識別用の表示７がレーザでプリントされている。尚、このレーザでのプリントに際し、材料が透明や着色が薄いものの場合は顔料を材料に入れておくことでレーザでの焦がす作用がより効果を発揮する。また、識別用の表示７としてはメーカー名のほか、管理番号等を入れることもでき、レーザのプリントはアタッチ部材１、１‥の単品ごとに内容を変更することもできるので個体の識別にも大変有効となる。例えば魚の放流の場合、放流の日時、場所等を表示することができ、この魚にアタッチ部材１を装着するには背ビレの付け根、つまり筋肉の強い部分が選択される。
【実施例２】
【００１７】
次いで、図５乃至図８を参照して第二実施例を説明する。尚、第一実施例と共通する部分については共通の符号を付して詳しい説明は省略する。以降、後述する各実施例についても同様である。この第二実施例にあってＡ２はアタッチ部材１ａ、１ａ‥のアッセンブリを示している。この第二実施例の場合は係止棒６ａの表面を弧面状として表示７をレーザでプリントしてある。この係止棒６ａの表面を弧面状としたことで、引っ掛かりが少なくなり、特に放流魚に装着した場合、遊泳の際の水の抵抗を少なくする効果が得られる。
【実施例３】
【００１８】
次いで、図９乃至図１２を参照して第三実施例を説明する。この第三実施例の場合は係止棒６ｂを、上面をフラットとした断面半円状に形成し、アッセンブリＡ３の状態でその表面部分を隣接するアタッチ部材１ｂ、１ｂの間で一体に継ぎ部９、９を介して連接してある。この継ぎ部９は厚さを略０．２ｍｍ程度とし、容易に切断、千切ることを可能としてある。かかる構成としたことでレーザによる表示７のプリント面積を大きく取ることができ、表面一杯に大きな文字や図形でのプリントを行うことができることとしている。
【実施例４】
【００１９】
また、図１３乃至図１６を参照して第四実施例を説明する。この第四実施例の場合は係止棒６ｃを、上面をフラットとした断面半円状に形成し、この上面（表面）に表示７をレーザでプリントしてある。この第四実施例にあってＡ４はアッセンブリ、１ｃは単体のアタッチ部材を示しており、係止棒６ｃの長手方向に沿った表面の側縁に突起１０、１０を形成してある。この突起１０は図にあっては突条として示しているが、連続する半球状、柱状あるいは錐状のものであってもよく、表面にプリントされた表示７をガードする。例えば魚に装着した場合、水中の浮遊物や岩礁等と当たり、擦れて表示７が損傷してしまうことを防止する。
【実施例５】
【００２０】
続いて、図１７乃至図１９を参照して第五実施例を説明する。この第五実施例の場合は係止棒６ｃを、上面をフラットとした断面半円状に形成し、この上面（表面）に表示７をレーザでプリントしてある。さらに、その表示７がプリントされた表面に、断面半円状とした透明あるいは半透明の素材で形成されたコーティング１１を固着してある。尚、Ａ５はアッセンブリ、１ｄは単体のアタッチ部材を示している。係る構成とすることで、コーティング１１で表示７を保護し、場合によっては、そのコーティング１１がレンズ効果を発揮し、表示７を拡大目視することも可能となる。
【実施例６】
【００２１】
さらに、図２０乃至図２３を参照して第六実施例を説明する。この第六実施例でＡ６はアッセンブリ、１ｅは単体のアタッチ部材を示している。この場合、係止棒６ｅを断面直角三角形状とし、そのテーパ面を上面とし、そこにレーザで表示７をプリントしてある。係る構成とすることで表示７をプリントするため面積を大きく確保することができ、表示７自体も大きくプリントすることが可能となる。
【実施例７】
【００２２】
次いで、図２４乃至図２５を参照して第七実施例を説明する。この第七実施例でＡ７はアッセンブリ、１ｆは単体のアタッチ部材を示している。この場合、係止棒の存在に代えて、係止用のパドル６ｆを挿通部５の端部に一体に備えた形態となっている。この第七実施例では、前記した各例とは異なり、抜け止め用の棒材４の底面、すなわち、ランナー２側にレーザで表示７をプリントしてあり、このプリントはアッセンブリＡ７の状態でなされるので、ランナー２を挟んだ左右になされることとなる。
【実施例８】
【００２３】
次いで、図２６乃至図２７を参照して第八実施例を説明する。この第八実施例にあってＡ８はアッセンブリ、１ｇは単体のアタッチ部材を示している。この場合は、挿通部５の端部に、その挿通部５と直線状とした方向性で断面半円状の表示部１２が一体に延設され、この表示部１２の平坦面にレーザで表示７がプリントされている。また、抜け止めのために、この表示部１２と挿通部５の境には膨出させた係止部１３が形成されている。さらに、アッセンブリの状態で隣接する表示部１２、１２は二箇所の接続部１４、１４で接続され、バラ付き、グラ付きを防止している。この接続部１４、１４は脆弱なものとされ、装着時に容易に切断できるものとなっている。
【実施例９】
【００２４】
次いで、図２８乃至図３０を参照して第九実施例を説明する。この第九実施例にあってＡ９はアッセンブリ、１ｈは単体のアタッチ部材を示している。この場合は、挿通部５の端部に、その挿通部５と直線状とした方向性で、断面涙形とした表示部１５が一体に形成されている。さらに、アッセンブリＡ９としてこの表示部１５は二面存在する平坦部の左側、もしくは右側をランナー２と直交する方向性をとり、他の面を斜状とし、隣接するアタッチ部材１ｈ、１ｈの位置を交互に変更している。即ち、同一方向性を持つ表示部１５を有するアタッチ部材１ｈは一つ置きに存在することとなる。そして、この斜状とした平坦面にレーザで表示７をプリントしている。この例も実施例６のように表示７をプリントする面積を大きくすることができる。尚、抜け止めは表示部１５の基端部でなされることとなる。
【実施例１０】
【００２５】
次いで、図３１乃至図３３を参照して第十実施例を説明する。この第十実施例でＡ１０はアッセンブリ、１ｉは単体のアタッチ部材を示している。この場合は、挿通部５の端部に球状とした表示部１６を設け、この表示部１６の表面にレーザで表示７をプリントしてある。この構成も、魚に装着した場合、表示部１６として引っ掛かりや抵抗が少なく、遊泳を阻害することがなく、魚の負担を軽減することができる。
【実施例１１】
【００２６】
さらに、本発明に係るアタッチ部材は図３６乃至図３９として示すループを形成し、そのループでタグを吊持するタイプのものにも実施できる。図３６として示すアタッチ部材１ｊは紐や糸で成形されたループ形成材１７を有しており、そのループ形成材１７の一端に係合部を形成した挿し込み部１８を一体的に備え、他端に、その挿し込み部１８を挿通し、係合爪１９でループ状態をロックする挿通孔２０を形成した受部２１を備えており、その受部２１の表面に表示７をレーザでプリントしてある。また、図３７として示すアタッチ部材１ｋは延伸されたプラスチック製のループ形成材１７ａを有しており、そのループ形成材１７ａの一端にすぼみ、拡開する係合部を形成した挿し込み部１８ａを一体的に備え、他端に横方向に設けられた挿し込み孔を形成した受部２１ａを備えており、この受部２１ａの表面に表示７をレーザでプリントしてある。そして、図３８、図３９として示すアタッチ部材１ｌは、延伸されたプラスチック製のループ形成材１７ｂを有しており、そのループ形成材１７ｂの一端に直交する方向に形成された挿し込み部１８ｂを、他端に、その挿し込み部１８ｂを挿通し、ロックする受部２１ｂを備えており、その受部２１ｂの一部表面に表示７をレーザによってプリントしてある。尚、図中Ｂ、Ｂは、アタッチ部材１ｌ、１ｌをアッセンブリＡ１１とするための連結バーである。この実施例におけるループ形成材は、ここに示したもののほか、伸縮性のあるエラストマーや鎖、ビーズ等を用いることもでき、挿し込み部が受部に挿し込まれる方向性は限定されず、また、表示７の設ける位置も受部に限らず、挿し込み部側の一部とすることもできる。
【産業上の利用可能性】
【００２７】
本発明の実施例は上記のように構成されている。この実施例は主として放流する魚介類の生態調査を念頭においているが、従来的なアパレル等の商品に使用すれば、出所や流通経路が明確となり、一見して製品の真贋のチェックもできる。また、テナントビルやマンション等での鍵管理にも表示を異ならしめたアタッチ部材を付着しておくことで応用でき、セキュリティにも効果がある。そして、このアタッチ部材は図３５に示すように封筒ＥのフラップＦを止着封緘することで、その開閉の有無が明瞭となり、機密文書等の連絡にあってセキュリティを保持できる。
【符号の説明】
【００２８】
１〜１ｌ    アタッチ部材
２          ランナー
３          連結ピン
４          抜け止め用の棒材
５          挿通部
６〜６ｅ    係止棒
６ｆ        係止用のパドル
７          表示
８          アール部
９          継ぎ部
１０        突起
１１        コーティング
１２        表示部
１３        係止部
１４        接続部
１５        表示部
１６        表示部
１７〜１７ｂ  ループ形成材
１８〜１８ｂ  挿し込み部
１９        係止爪
２０        挿通孔
２１〜２１ｂ  受部
Ａ〜Ａ１１  アッセンブリ
Ｂ          連結バー
Ｇ          取り付け器具
Ｎ          ニードル
Ｅ          封筒
Ｆ          フラップ
【図１】
2012113085.tif 000003
【図２】
2012113085.tif 000004
【図３】
2012113085.tif 000005
【図４】
2012113085.tif 000006
【図５】
2012113085.tif 000007
【図６】
2012113085.tif 000008
【図７】
2012113085.tif 000009
【図８】
2012113085.tif 000010
【図９】
2012113085.tif 000011
【図１０】
2012113085.tif 000012
【図１１】
2012113085.tif 000013
【図１２】
2012113085.tif 000014
【図１３】
2012113085.tif 000015
【図１４】
2012113085.tif 000016
【図１５】
2012113085.tif 000017
【図１６】
2012113085.tif 000018
【図１７】
2012113085.tif 000019
【図１８】
2012113085.tif 000020
【図１９】
2012113085.tif 000021
【図２０】
2012113085.tif 000022
【図２１】
2012113085.tif 000023
【図２２】
2012113085.tif 000024
【図２３】
2012113085.tif 000025
【図２４】
2012113085.tif 000026
【図２５】
2012113085.tif 000027
【図２６】
2012113085.tif 000028
【図２７】
2012113085.tif 000029
【図２８】
2012113085.tif 000030
【図２９】
2012113085.tif 000031
【図３０】
2012113085.tif 000032
【図３１】
2012113085.tif 000033
【図３２】
2012113085.tif 000034
【図３３】
2012113085.tif 000035
【図３４】
2012113085.tif 000036
【図３５】
2012113085.tif 000037
【図３６】
2012113085.tif 000038
【図３７】
2012113085.tif 000039
【図３８】
2012113085.tif 000040
【図３９】
2012113085.tif 000041